(57)【特許請求の範囲】
【請求項１】
火災警報機能とガス漏れ警報機能を有する複合型警報器を、防災情報盤から引き出された感知器回線に火災感知器と共に接続して火災及びガス漏れを監視する防災監視設備において、
前記複合型警報器は、
商用交流電源からの電源供給で動作し、ガス検出時にガス漏れ警報を行うガス漏れ警報回路部と、
前記感知器回線からの電源供給で動作し、火災検出時に火災発報信号を前記感知器回線を介して前記防災情報盤に出力すると共に前記ガス漏れ警報回路部に電気的に分離した火災発報信号を出力して火災警報を行わせる火災感知器回路部と、
を備え、
前記商用交流電源の停電時には、前記感知器回線から前記感知器回路部への電源供給は前記防災情報盤に接続された予備電源装置から供給されることを特徴とする防災監視設備。
【請求項２】
請求項１記載の防災監視設備において、前記火災感知器回路部は、前記火災発報信号をフォトカプラを介して前記ガス漏れ警報回路部に出力することを特徴とする防災監視設備。
【請求項３】
請求項１記載の防災監視設備において、前記複合型警報器は、前記ガス漏れ警報回路部からの指示により外部に対し移報信号を出力する移報回路部を備え、前記移報回路部は、停電・断線時に０Ｖ、正常監視時に６Ｖ、可燃性のガス漏れ検出時に１２Ｖ、一酸化炭素ガス検出時に１８Ｖの有電圧信号を出力する有電圧移報回路と、火災検出時に無電圧の接点信号を出力する無電圧移報回路を備えたことを特徴とする防災監視設備。
【請求項４】
請求項１記載の防災監視設備において、前記複合型警報器は、前記火災感知器回路部への電源供給を、商用交流電源からの電源供給側または前記感知器回線からの電源供給側に切替える切替回路部を設けたことを特徴とする防災監視設備。
【請求項５】
請求項１記載の防災監視設備において、前記複合型警報器の火災感知器回路部は遠隔試験用の試験回路を備え、前記試験回路は感知器回線からの試験信号を受信することで作動試験を行わせることを特徴とする防災監視設備。
【請求項６】
火災警報機能とガス漏れ警報機能を有し、感知器回線に火災感知器と共に接続して火災及びガス漏れを監視する複合型警報器において、
商用交流電源からの電源供給で動作し、ガス検出時にガス漏れ警報を行うガス漏れ警報回路部と、
前記感知器回線からの電源供給で動作し、火災検出時に火災発報信号を前記感知器回線に対して出力すると共に前記ガス漏れ警報回路部に電気的に分離した火災発報信号を出力して火災警報を行わせる火災感知器回路部と、
を備え、
前記商用交流電源の停電時にも、前記感知器回線からの電源供給により火災発報信号を前記感知器回線に対して出力可能であることを特徴とする複合型警報器。
【請求項７】
請求項６記載の複合型警報器において、前記火災感知器回路部は、前記火災発報信号をフォトカプラを介して前記ガス漏れ警報回路部に出力することを特徴とする複合型警報器。
【請求項８】
請求項６記載の複合型警報器において、前記複合型警報器は、前記ガス漏れ警報回路部からの指示により外部に対し移報信号を出力する移報回路部を備え、前記移報回路部は、停電・断線時に０Ｖ、正常監視時に６Ｖ、可燃性のガス漏れ検出時に１２Ｖ、一酸化炭素ガス検出時に１８Ｖの有電圧信号を出力する有電圧移報回路と、火災検出時に無電圧の接点信号を出力する無電圧移報回路を備えたことを特徴とする複合型警報器。
【請求項９】
請求項６記載の複合型警報器において、前記複合型警報器は、前記火災感知器回路部への電源供給を、商用交流電源からの電源供給側または前記感知器回線からの電源供給側に切替える切替回路部を設けたことを特徴とする複合型警報器。
【請求項１０】
請求項６記載の複合型警報器において、前記火災感知器回路部は遠隔試験用の試験回路を備え、前記試験回路は前記感知器回線からの試験信号を受信することで作動試験を行わせることを特徴とする複合型警報器。
【発明の詳細な説明】
【０００１】
【発明の属する技術分野】
本発明は、集合住宅等において火災とガス漏れを監視する防災監視設備及び複合型警報器に関する。
【０００２】
【従来技術】
従来、集合住宅における一般的な火災報知設備としては、例えば、図７に示す構成のものがある。図７は、住戸内の設備を示しており、防災情報盤１から引き出された電源兼用信号線として機能する感知器回線２ａ，２ｂに対しては、住戸内の天井に設置される火災感知器３が１又は複数接続されている。
【０００３】
火災感知器３が火災を検出して発報すると、感知器回線２ａ，２ｂ間に発報電流が流れ、防災情報盤１で発報電流を検出して火災表示及び火災警報を行う。また防災情報盤１は管理人室などに設置された図示しない住棟受信盤に伝送線７ａ及び電源線７ｂにより接続され、火災を判断すると火災確認信号を住棟受信盤に送り、火災表示と火災警報を行わせる場合がある。
【０００４】
また、防災情報盤１から別途引き出されたガス漏れ信号線５ａ，５ｂに対しては、商用交流電源ＡＣ１００Ｖで動作するガス漏れ警報器１００を接続する場合がある。ガス漏れ警報器１００は、主に台所の壁に設置され、検出状態を有電圧信号によりガス漏れ信号線５ａ，５ｂを介して防災情報盤１に出力している。
【０００５】
具体的には、ガス漏れ警報器１００は、停電・断線時に０Ｖ、正常監視時に６Ｖ、ガス漏れ（メタンガス）検出時に１２Ｖ、一酸化炭素ガス検出時に１８Ｖの有電圧信号を出力する。防災情報盤１は、この有電圧信号を受信し、ガス漏れ（メタンガス）検出時の１２Ｖの有電圧信号を識別するとガス漏れ警報を行い、また一酸化炭素ガス検出時の１８Ｖの有電圧信号を識別すると、換気を促す警報を行う。
【０００６】
ここで火災報知を行う防災監視設備は、消防法の規格により、停電時にあっても所定時間の間、火災監視を行うことが義務付けられている。このため停電対策が施されなければならず、停電時には防災情報盤及び感知器回線には所定時間にわたり管理人室などに設置される非常電源装置から例えばＤＣ２４Ｖの電源が供給されて火災監視が行われる。
【０００７】
しかしながら、ガス漏れ警報器１００は、住戸から供給される商用交流電源ＡＣ１００Ｖで動作するのみで、停電対策が施されていないことから、停電になると全くガス漏れ監視ができない。
【０００８】
一方、最近、戸建て住宅用として、ガス漏れ警報器に火災検出機能を備えた複合型警報器が開発され、設置されはじめている。一般的な複合型警報器としては、図８に示す構成のものがある。
【０００９】
図８において、複合型警報器１０１は、商用交流電源ＡＣ１００Ｖにより電源回路部８で各回路部に対する規定の直流電源電圧を作り出して動作させている。この電源回路部８には、ノイズ吸収回路８ａ、電源トランス８ｂ、整流回路８ｃ、定電圧回路８ｄが設けられる。
【００１０】
ガス漏れ警報回路部は、マイコン回路９、ガス検出回路１０、ガスセンサ駆動回路１１、温度補償回路１２、ガス警報濃度設定回路１３、電源灯１４ａ、火災灯１４ｂ、ガス漏れ灯１４ｃ、ＣＯガス漏れ灯１４ｄを備えた表示灯回路１４、スピーカ１６を備えた音声警報出力回路１５から構成される。
【００１１】
ガス検出回路１０には例えば金属酸化物半導体（ＳｎＯ３）ガスセンサが設けられ、半導体表面にガスが付着すると電気抵抗が急激に変化する特性を利用してガスを検出する。
【００１２】
ガスセンサ駆動回路１１は、ガスセンサの直近に設けた温度補償回路１２の出力に基づくマイコン回路９からの制御信号を受けて最適な感度となるようにガスセンサを駆動する。
【００１３】
ガス検出回路１０は、マイコン回路９からの指示でメタンガス（ＣＨ４）と一酸化炭素ガス（ＣＯ）を的確に捉えるための負荷抵抗の値を切替えており、切替に対応して得られた出力電圧がマイコン回路９に入力され、この出力電圧は温度補償回路１２の出力により補正される。
【００１４】
ガス警報濃度設定回路１３は、メタンガス（ＣＨ４）と一酸化炭素ガス（ＣＯ）の各ガス濃度に対応した発報感度を設定するもので、調整された設定電圧値がマイコン回路９に入力され、温度補償による補正済みの出力電圧と比較され、ガス漏れか一酸化炭素ガスの充満（換気警報状態）かが判断される。
【００１５】
このようなガス漏れ警報回路部に加え、火災警報回路１０２が設けられる。火災警報回路１０２は、例えば周囲温度の上昇で抵抗値が下がるサーミスタを利用した回路であり、この出力はマイコン回路９に入力され、所定値に達すると火災発生を判断する。
【００１６】
ガス漏れ又は火災が判断されて警報状態になると、マイコン回路９の指示により音声警報出力回路１５が動作してスピーカ１６から対応した警報音を出力させ、表示灯回路１４も警報内容に対応した表示灯を点灯する。火災とガス漏れが同時に判断された場合は、火災警報を優先する。
【００１７】
更に移報回路部として火災警報接点出力回路２２と外部出力回路２３が設けられる。火災警報接点出力回路２２は、火災が判断されたときに常開接点（ａ接点）を閉じ、無電圧接点信号を出力する。外部出力回路２３は、停電・断線時に０Ｖ、正常監視時に６Ｖ、ガス漏れ検出時に１２Ｖ、一酸化炭素ガス検出時に１８Ｖの有電圧信号を出力する。
【００１８】
このような図８の複合型警報器１０１は、基本的に、戸建て住宅用に設計され、警報器単独で警報音を出力し、ガスメータの遮断弁を動作させることを主目的にしている。また図７のガス漏れ警報器１００と同様、商用交流電源で動作しており、停電時の火災監視が出来ない。
【００１９】
この複合型警報器を集合住宅の防災監視設備に使用する場合には、図７のガス漏れ警報器１００と同様、有電圧信号の移報出力をガス漏れ信号線５ａ，５ｂを介して防災情報盤１に出力することになる。また複合型警報器１０１で火災発生を判断した時には、火災表示すると共に火災警報音を出力し、更にガスメータ内蔵のガス遮断弁を作動させるため無電圧接点信号を出力する。
【００２０】
【発明が解決しようとする課題】
しかしながら、このような従来の複合型警報器を集合住宅の防災監視設備に適用しようとした場合、次のような問題がある。
【００２１】
まず複合型警報器は、火災検出機能を有しているものの停電対策機能を備えていないことから、消防規格の制限上、火災信号となる無電圧接点信号を、防災情報盤に接続することが許されていない。
【００２２】
このため複合型警報器を、台所の壁等に設置した場合でも、別途台所には感知器回線に接続される火災感知器を設置する必要が有り、重複する設備になりコストアップとなる。
【００２３】
また複合型警報器を感知器回線に接続し、感知器回線からの電源供給を受けて停電対策を施すことも考えられるが、ガスセンサを駆動するためには内部のヒータに駆動電圧を供給することが必要であり、消費電力がかかり過ぎる。このため複合型警報器についても停電対策を行うと、非常電源装置の容量を大きくしなければならない問題がある。
【００２４】
本発明は、複合型警報器を通常の火災感知器と同様に感知器回線に接続して火災監視ができる防災監視設備および複合型警報器を提供することを目的とする。
【００２５】
【課題を解決するための手段】
この目的を達成するため本発明は次のように構成する。本発明は、火災警報機能とガス漏れ警報機能を有する複合型警報器を、防災情報盤から引き出された感知器回線に火災感知器と共に接続して火災及びガス漏れを監視する防災監視設備であって、複合型警報器は、商用交流電源からの電源供給で動作し、ガス検出時にガス漏れ警報を行うガス漏れ警報回路部と、感知器回線からの電源供給で動作し、火災検出時に火災発報信号を感知器回線を介して防災情報盤に出力すると共にガス漏れ警報回路部に電気的に分離した火災発報信号を出力して火災警報を行わせる火災感知器回路部とを備え、商用交流電源の停電時には、感知器回線から感知器回路部への電源供給は防災情報盤に接続された予備電源装置から供給されることを特徴とする。ここで火災感知器回路部は、火災発報信号をフォトカプラを介してガス漏れ警報回路部に出力する。
【００２６】
このため複合型警報器の火災感知器回路部は、商用交流電源からの電源供給から電気的に分離され、感知器回線から通常の火災感知器と同様に電源供給を受けて動作することとなり、停電対策は火災感知器と同様に取ることができる。また、複合型警報器の接続は火災感知器が一台増えたのみに相当し、火災感知器に比べて消費電力の大きいガス漏れ警報回路部のための電力消費増大の影響を考慮しなくて良いので、感知器回線の電源容量の範囲を超える台数とならない範囲であれば、そのために非常電源装置の容量を特に大きくする必要はない。またこのために感知器回線に接続可能となる感知器（複合型警報器の火災感知器回路部を含む）の台数が減少することもない。更に感知器回線に接続できるため、複合型警報器を設置している台所等に重複して火災感知器を設置する必要はない。
【００２７】
また複合型警報器は、ガス漏れ警報回路部からの指示により外部に対し移報信号を出力する移報回路部を備え、この移報回路部は、停電・断線時に０Ｖ、正常監視時に６Ｖ、可燃性のガス漏れ検出時に１２Ｖ、一酸化炭素ガス検出時に１８Ｖの有電圧信号を出力する有電圧移報回路と、火災検出時に無電圧の接点信号を出力する無電圧移報回路を備える。
【００２８】
複合型警報器は、火災感知器回路部への電源供給を、商用交流電源からの電源供給側または感知器回線からの電源供給側に切替える切替回路部を設け、この電源切替により一台でシステム用としても単独用としても選択的に利用可能となる。
【００２９】
複合型警報器の火災感知器回路部は遠隔試験用の試験回路を備え、この試験回路は感知器回線からの試験信号を受信することで作動試験を行わせる。
【００３０】
更に本発明は、火災警報機能とガス漏れ警報機能を有し、感知器回線に火災感知器と共に接続されて火災及びガス漏れを監視する複合型警報器そのものを提供するものであり、本発明の複合型警報器は、商用交流電源からの電源供給で動作し、ガス検出時にガス漏れ警報を行うガス漏れ警報回路部と、感知器回線からの電源供給で動作し、火災検出時に火災発報信号を前記感知器回線に対して出力すると共に前記ガス漏れ警報回路部に電気的に分離した火災発報信号を出力して火災警報を行わせる火災感知器回路部とを備え、商用交流電源の停電時にも、感知器回線からの電源供給により火災発報信号を感知器回線に対して出力可能であることを特徴とする。この場合のそれ以外の特徴は防災監視設備の場合と同じになる。
【００３１】
【発明の実施の形態】
図１は本発明による防災監視設備の住戸側の設備構成を示した説明図である。図１において、住戸内には防災情報盤１が設置されており、防災情報盤１から住戸内に電源兼用信号線として機能する感知器回線２ａ，２ｂが引き出されている。この感知器回線２ａ，２ｂ間には１または複数の火災感知器３が接続され、終端には断線監視用の終端抵抗４が接続される。
【００３２】
本発明にあっては、防災情報盤１の端子Ｌ，Ｃからの感知器回線２ａ，２ｂ間に複合型警報器６を通常の火災感知器３と同様に接続することで、複合型警報器６に内蔵している火災感知器回路部による火災監視ができるようにしている。
【００３３】
また防災情報盤１からは端子Ｇ+， Ｇ-によってガス漏れ信号線５ａ，５ｂが引き出され、このガス漏れ信号線５ａ，５ｂに複合型警報器６に内蔵しているガス漏れ警報回路部の有電圧出力を行う移報回路部を接続している。複合型警報器６は後の説明で明らかにするように、ガス漏れ警報回路部については商用交流電源ＡＣ１００Ｖによる電源供給を受けて動作している。
【００３４】
防災情報盤１は、伝送線７ａにより、管理人室に設置している住棟受信機に接続される。また電源線７ｂによって同じく管理人室に設置している電源装置に接続され、この電源装置に対しては予備電源装置が接続され、停電時の電源バックアップができるようにしている。
【００３５】
図２は図１の複合型警報器６の実施形態を示した回路ブロック図である。本発明で使用する複合型警報器６は、ガス漏れ警報回路部６Ａと火災感知器回路部６Ｂで構成されている。
【００３６】
ガス漏れ警報回路部６Ａは、ノイズ吸収回路８ａ，電源トランス８ｂ，整流回路８ｃ及び定電圧回路８ｄを備えた電源回路部８、ＭＰＵやメモリを備えたマイコン回路９、ガス検出回路１０、ガスセンサ駆動回路１１、温度補償回路１２、ガス警報濃度設定回路１３、電源灯１４ａ、火災灯１４ｂ、ガス漏れ灯１４ｃ、ＣＯガス漏れ灯１４ｄを備えた表示灯回路１４、無電圧接点信号を出力する火災警報接点出力回路２２、有電圧信号を出力する外部出力回路２３を備える。
【００３７】
一方、火災感知器回路部６Ｂは火災感知器回路１８と火災発報信号送出回路１９を備える。ここでガス漏れ警報回路部６Ａは、火災発報信号受信回路２１を除き図８に示した従来の複合型警報器１０１の火災警報回路１０２を除いた回路部と同じ構成及び動作となる。
【００３８】
本発明にあっては、図８の従来の複合型警報器１０１に設けている火災警報回路１０２の代わりに、火災感知器回路部６Ｂの火災感知器回路１８と火災発報信号送出回路１９、及びガス漏れ警報回路部６Ａ側の火災発報信号受信回路２１を設けている。
【００３９】
火災感知器回路１８は、図１の防災情報盤１からの感知器回線２ａ，２ｂに接続されて電源供給を受けて動作している。火災感知器回路１８で火災を検出すると、感知器回線２ａ，２ｂ間を低インピーダンスにして発報電流を流すことで、図１の防災情報盤１に対し火災発報信号を送出する。同時に火災感知器回路１８は火災発報信号送出回路１９に火災発報信号を出力する。
【００４０】
火災発報信号送出回路１９にはフォトカプラ２０のＬＥＤ側となる発光部２０ａが接続されており、火災感知器回路１８より火災発報信号を受けると、発光部２０ａを発光駆動する。ガス漏れ警報回路部６Ａ側の火災発報信号受信回路２１には、フォトカプラ２０のフォトトランジスタを使用した受光部２ｂが設けられており、発光部２０ａからの火災発報信号による発光を受けて受光部２ｂのフォトトランジスタがオンし、火災発報信号受信回路２１からマイコン回路９に火災発報信号を入力する。
【００４１】
このようにガス漏れ警報回路部６Ａと火災感知器回路部６Ｂ側は、フォトカプラ２０を使用した火災発報信号送出回路１９と火災発報信号受信回路２１により電気的に分離されている。
【００４２】
図３は図２の火災感知器回路１８の一例を示した回路ブロック図である。この火災感知器回路１８は、整流回路２４ａ、ノイズ吸収回路２４ｂ、定電圧回路２５、電流制限回路２６、熱検出回路２７、比較回路２８、定温設定回路２９及び火災信号出力回路３０で構成される。
【００４３】
熱検出回路２７には温度検出素子としてサーミスタを設けており、温度上昇によるサーミスタ抵抗値の低下を電圧に変換し、定温設定回路２９の設定電圧と比較することにより定温式感知器の特性を実現している。
【００４４】
即ち熱検出回路２７からの検出信号が定温設定回路２９の設定温度に対応した値を超えると比較回路２８が出力し、火災信号出力回路３０のトランジスタなどのスイッチング素子をオンし、端子Ｌ，Ｃに接続された感知器回線２ａ，２ｂ間を低インピーダンスにして発報電流を流すことで、防災情報盤１側に火災発報信号を送信する。
【００４５】
火災信号出力回路３０と直列に図２のフォトカプラ２０のＬＥＤを用いた発光部２０ａが接続されている。このため、火災感知器回路１８で火災検出動作が行われて感知器回線２ａ，２ｂ間に発報電流が流れると、同時にフォトカプラ２０の発光部２０ａが発光駆動され、これによって図２のフォトカプラ２０の受光部２０ｂが動作し、火災発報信号受信回路２１を経由してマイコン回路９に火災発報信号を入力し、火災警報動作を行わせる。
【００４６】
一方、図１の火災感知器３は、図３の回路に破線で示す作動表示灯回路３３を加えた回路であり、同様に定温式感知器としての特性により火災を検出して感知器回路に火災発報信号を送出する。また、火災発報信号の送出により作動表示灯回路３３を駆動し図示しない作動表示灯を点灯させる。
【００４７】
次に本発明の防災監視設備及び複合型警報器の動作を説明する。図１のように防災情報盤１からの感知器回線２ａ，２ｂ及びガス漏れ信号線５ａ，５ｂに接続された複合型警報器６は、図２から明らかなように、感知器回線２ａ，２ｂによる電源供給を火災感知器回路１８で受けて火災を監視している。
【００４８】
同時に商用交流電源ＡＣ１００Ｖの供給を受けて、電源回路部８で各回路部に供給する例えばＤＣ５Ｖとなる所定の直流電源電圧を作り出し、ガス漏れ警報回路部６Ａ側を動作している。
【００４９】
この状態で図３に示した回路構成をもつ火災感知器回路１８で火災が検出されると、感知器回線２ａ，２ｂ間を低インピーダンスにして発報電流を流し、防災情報盤１に対し火災発報信号を送出する。火災発報信号を受信した防災情報盤１にあっては、火災警報表示を行うと共に音声警報により火災感知器の作動を住戸内に知らせる。
【００５０】
火災発報信号の受信から例えば２〜５分の範囲の所定時間内に防災情報盤１に設けている確認スイッチのオン操作が行われると、伝送線７ａにより図示しない住棟受信機に対し火災確認信号を送信して、住棟受信機側で火災発生表示と警報を行わせる。また所定時間内に確認操作がなければ、所定時間の経過時点で防災情報盤１は住棟受信機に火災確認信号を送出し、同様にして火災発生表示と警報を行わせる。
【００５１】
一方、図２の複合型警報器６にあっては、感知器回線２ａ，２ｂに対する火災発報信号の送出と同時に、火災感知器回路１８は火災発報信号送出回路１９を動作してフォトカプラ２０の発光部２０ａを発光駆動し、この発光出力が受光部２０ｂで受光され、火災発報信号受信回路２１からマイコン回路９に火災発報信号が入力される。
【００５２】
火災発報信号の入力を受けたマイコン回路９は、表示灯回路１４を動作し、火災灯１４ｂを点灯させる。また音声警報出力回路１５を作動し、スピーカ１６から例えば「ピーピー、火災警報器が作動しました。確認してください。」のような音声警報を出力させる。更に火災警報接点出力回路２２のａ接点を閉じることで外部に対し無電圧接点信号を出力し、例えばガス緊急遮断弁の遮断動作を行わせることができる。
【００５３】
一方、ガス漏れ警報回路部６Ａ側のガス検出回路１０において、都市ガスなどのガス漏れ（メタンガス漏れ）や一酸化炭素ガスに応じた負荷抵抗の出力電圧がマイコン回路９に入力され、ガス警報濃度設定回路１３による設定濃度を超えた場合には、ガス警報状態となり、表示灯回路１４によりガス漏れ灯１４ｃあるいはＣＯガス漏れ灯１４ｄを点灯する。
【００５４】
また音声警報出力回路１５によるスピーカ１６の駆動で、例えばガス漏れの場合には「ピッピッピッピッ、ガスが漏れていませんか。」というような音声警報を出力させる。ＣＯガスの場合には「ピッポピッポ、空気が汚れて危険です。窓を開けて換気をしてください。」といった音声警報を出力させる。更に、火災とガス漏れが重複した場合については火災警報を優先した音声警報出力が行われる。
【００５５】
また、マイコン回路９はガス警報状態になると、外部出力回路２３に対し指示を行い、ガス漏れ（メタンガス）検出時には１２V、一酸化炭素ガス検出時には１８Vの有電圧信号をガス漏れ信号路５ａ、５ｂを介して防災情報盤１に出力させる。
【００５６】
一方、監視中に住戸において停電が発生した場合、商用交流電源ＡＣ１００Ｖが断たれることで図２のガス漏れ警報回路部６Ａは動作が停止してしまう。しかしながら、火災感知器回路部６Ｂは感知器回線２ａ，２ｂによる電源供給を受けて動作しているため、住戸に停電があっても火災監視機能が失われることはない。
【００５７】
図４は本発明の防災監視設備で使用する複合型警報器６の他の実施形態を示した回路ブロック図である。この実施形態にあっては、火災感知器回路部６Ｂに設けている火災感知器回路１８に対する電源供給を、感知器回線２ａ，２ｂ側からの電源供給と商用交流電源ＡＣ１００Ｖによる電源供給を行う電源回路部８側からの電源供給について切替可能としたことを特徴とする。
【００５８】
即ち、火災感知器回路１８と感知器回線２ａ，２ｂの接続端子との間の信号線に電源切替回路３２を構成する切替スイッチ３２ａ，３２ｂを設けている。切替スイッチ３２ａ，３２ｂは、切替端子ａ側を火災感知器回路１８からの回線に接続し、その切替端子ａに対し感知器回線２ａ，２ｂ側を接続し、切替端子ｂ側には電源回路部８側を接続している。
【００５９】
このような電源切替回路３２を設けたことで、例えば図１のように防災情報盤１からの感知器回線２ａ，２ｂに接続してシステム用として使用する場合には、図示のように切替スイッチ３２ａ，３２ｂを切替端子ａ側に切り替え、これにより感知器回線２ａ，２ｂによる電源供給を受けて火災感知器回路部６Ｂを動作させることができる。
【００６０】
これに対し図４の複合型警報器６をシステム用ではなく、戸建て住宅等で独立用として使用する場合には、切替スイッチ３２ａ，３２ｂを切替端子ｂ側に切り替え、これにより電源回路部８からの電源供給により火災感知器回路１８及び火災発報信号送出回路１９を動作させることができ、実質的に図８の従来の複合型警報器１０１と同じ状態にできる。
【００６１】
このような電源切替回路３２を設けることで、１台の複合型警報器６であっても、防災情報盤１側からの感知器回線からの電源供給により火災感知器回路部を動作させるか、商用交流電源からの電源供給で火災感知器回路部を動作させるかを必要に応じて選択することができる。
【００６２】
図５は、本発明の他の実施形態を示した住戸内の設備構成であり、火災感知器および複合型警報器の火災感知器回路部につき遠隔試験を行うようにしたことを特徴とする。
【００６３】
図５において、防災情報盤１側の感知器回線２ａ，２ｂには中継器３５が設けられ、遠隔試験の際に中継器３５に対し外部試験器３４をコネクタケーブルで接続する。火災感知器３には遠隔試験用試験回路３６が組み込まれ、また複合型警報器６にも遠隔試験機能を備えた火災感知器回路部１８ａが組み込まれている。
【００６４】
外部試験器３４で試験スイッチを操作すると、中継器３５内のリレーが作動され、防災情報盤１に対する感知器回線２ａ，２ｂの接続を切り離し、外部試験器３４側に切替わる。
【００６５】
この状態で外部試験器３４は、複合型警報器６に設けた遠隔試験機能付きの火災感知器回路部１８ａ及び火災感知器３のアドレスを順次指定しながら試験信号（試験コマンド）を送出して試験を行わせ、試験による発報信号を受信すれば正常と判断し、発報信号を受信できなければ異常と判断して試験結果を表示する。このような遠隔試験を行う外部試験器３４としては、例えば特開平１１−２５９７８７号の遠隔試験器が使用できる。
【００６６】
図６は、複合型警報器６に設けた遠隔試験機能付きの火災感知器回路部１８ａの回路ブロック図であり、図３の火災感知器回路部１８に更に遠隔試験機能を実現するためインタフェース回路として機能する試験回路３７とスイッチ回路３８を設けている。
【００６７】
試験回路３７は図５の外部試験器３４からの火災感知器回路部１８ａのアドレスを指定した試験信号を受信し、スイッチ回路３８に試験信号を出力して比較回路２８を火災検出時と同様に動作させ、火災信号出力回路３０から正常であれば試験による発報信号を感知器回線２ａ，２ｂを介して外部試験器３４に送出し、試験結果を表示させる。
【００６８】
また図５の遠隔試験機能付きの火災感知器３は、図６の回路に破線で示す作動表示灯回路３３を加えた回路であり、同様に外部試験器３４からの感知器アドレスを指定した試験信号を受信して試験動作を行い、正常であれば試験による発報信号を送出する。
【００６９】
また、外部試験器３４の試験処理機能を防災情報盤１の機能として組み込み、防災情報盤１から遠隔試験を行うようにしても良い。
【００７０】
また、上記の実施形態にあっては、火災感知器回路１８として図３のようにサーミスタを使用した定温式感知器を例にとるものであったが、これ以外に光電式煙感知器などの他の感知器構成を使用しても良い。
【００７１】
また、上記の実施形態にあっては、防災監視設備及び複合型警報器の設置場所として共同住宅や戸建て住宅を例にとるものであったが、本発明は、これに限定されず旅館、ホテル等の宿泊施設、飲食店、オフィスビル等にも適用することができる。
【００７２】
更に、上記の実施形態にあっては、火災感知器及び複合型警報器が接続される感知器回線は、防災情報盤から直接引き出されていたが、中継器を設け、中継器から引き出されるようにし、中継器経由で火災発報信号を防災情報盤や住棟受信盤に送るようにしても良い。
【００７３】
【発明の効果】
以上説明してきたように本発明によれば、複合型警報器の火災感知器回路部は、商用交流電源からの電源供給を受けて動作するガス漏れ警報回路部から電気的に分離され、感知器回線によって通常の火災感知器と同様に電源供給を受けて動作することができ、商用交流電源による動作では停電対策を必要とするが、本発明にあっては火災感知器回路部が感知器回線からの電源供給で動作することから、停電対策を特にとる必要がない。
【００７４】
また本発明の複合型警報器の感知器回線への接続は火災感知器の接続に相当し、火災感知器の最大接続数の範囲内で複合型警報器を接続すれば、防災監視設備における停電対策のための予備電源装置の容量を特に大きくする必要はない。
【００７５】
更に複合型警報器を感知器回線に接続できるため、複合型警報器を主に設置している台所に重複して火災感知器を設置する必要はなく、住戸内における設備構成が簡単でコストも低減することができる。
【図面の簡単な説明】
【図１】本発明による防災監視設備の住戸内の設備構成を示した説明図
【図２】図1の複合型警報器の実施形態を示した回路ブロック図
【図３】図２の火災感知器回路の回路ブロック図
【図４】図1の複合型警報器の他の実施形態を示した回路ブロック図
【図５】遠隔試験機能を備えた本発明による防災監視設備の他の実施形態を示した説明図
【図６】図５の複合型警報器に設けた遠隔試験機能付きの火災感知器回路の回路ブロック図
【図７】ガス漏れ警報器を接続した従来設備の説明図
【図８】従来の複合型警報器を示した回路ブロック図
【符号の説明】
１：防災情報盤
２ａ，２ｂ：感知器回線
３：火災感知器
４：終端抵抗
５ａ，５ｂ：ガス漏れ信号線
６：複合型警報器
８：電源回路部
９：マイコン回路
１０：ガス検出回路
１１：ガスセンサ駆動回路
１２：温度補償回路
１３：ガス警報濃度設定回路
１４：表示灯回路
１５：音声警報出力回路
１６：スピーカ
１８：火災感知器回路
１９：火災発報信号送出回路
２０：フォトカプラ
２０ａ：発光部
２０ｂ：受光部
２１：火災発報信号受信回路
２２：火災警報接点出力回路
２３：外部出力回路
２４：整流・ノイズ吸収回路
２５：定電圧回路
２６：電流制限回路
２７：熱検出回路
２８：比較回路
２９：定温設定回路
３０：火災信号出力回路
３２：電源切替回路
３２ａ，３２ｂ：切替スイッチ
３３：作動表示灯回路
３４：外部試験器
３５：中継器
３６：遠隔試験用試験回路
３７：試験回路
３８：スイッチ回路
【図１】
0004284404.tif 000002
【図２】
0004284404.tif 000003
【図３】
0004284404.tif 000004
【図４】
0004284404.tif 000005
【図５】
0004284404.tif 000006
【図６】
0004284404.tif 000007
【図７】
0004284404.tif 000008
【図８】
0004284404.tif 000009